(57)【要約】【課題】本発明は、材料使用量を抑制し、かつ強度を維持できる減圧貯蔵容器及びこれを備えた冷蔵庫を得ることを目的とする。【解決手段】上記目的を達成するために、本発明の減圧貯蔵容器は、直方体形状の減圧貯蔵容器の容器本体１を形成する四角形状平面の各辺の中央より同士を結ぶ外周リブ３と、前記外周リブ３で囲まれた領域の中央よりに設けられた複数の格子状リブ４と、を備え、前記四角形状平面の隅部であって、かつ前記外周リブ３で囲まれた領域の外側にリブを設けないことを特徴とする。また、本発明の冷蔵庫は、上記減圧貯蔵容器を備えたことを特徴とする。【選択図】  図１
2010243015.tif 000002
【特許請求の範囲】
【請求項１】
直方体形状の減圧貯蔵容器を形成する四角形状平面の各辺の中央より同士を結ぶリブと、前記リブで囲まれた領域の中央よりに設けられた複数の格子状リブと、を備え、前記四角形状平面の隅部であって、かつ前記リブで囲まれた領域の外側にリブを設けないことを特徴とする減圧貯蔵容器。
【請求項２】
直方体形状の減圧貯蔵容器を形成する四角形状平面の接する辺の中央より同士を結ぶように外周リブが設けられ、前記四角形状平面の隅部であって、かつ前記外周リブで囲まれた領域の外側にリブを設けないことを特徴とした減圧貯蔵容器。
【請求項３】
請求項２において、前記外周リブで囲まれた領域の中央よりに複数の格子状リブを設けたことを特徴とする減圧貯蔵容器。
【請求項４】
直方体形状の減圧貯蔵容器を形成する四角形状平面の接する辺の中央よりを結ぶように設けられたリブと、前記辺上に設けられて前記リブ同士を夫々連結する連結手段と、を備え、前記四角形状平面の隅部であって、かつ前記リブで囲まれた領域の外側にリブを設けないことを特徴とした減圧貯蔵容器。
【請求項５】
直方体形状の減圧貯蔵容器を形成する四角形状平面の各辺の中央より同士を結ぶように設けられたリブと、前記リブで囲まれた領域の中央よりに設けられた複数の格子状リブと、を備え、前記四角形状平面の隅部であって、かつ前記リブで囲まれた領域の外側にリブを設けないことを特徴とする減圧貯蔵容器を備えた冷蔵庫。
【発明の詳細な説明】
【技術分野】
【０００１】
本発明は減圧貯蔵容器及びこれを備えた冷蔵庫に関する。
【背景技術】
【０００２】
面圧が加わる貯蔵容器の場合、貯蔵容器の破壊や変形による外部構造への接触等を防止するため、面にかかる応力や変形量を一定以下に抑える必要がある。
【０００３】
これに対応する手法として、貯蔵容器の面を球や円筒に近い形状として応力や変形を均一に近付け、貯蔵容器の材料強度や肉厚を調整することにより、それらの値を設計値以下に抑えることが一般的である。当該構成は、貯蔵物が液体や気体等、形状を考慮する必要が無い場合には有効である。
【０００４】
しかし、貯蔵容器底面に固体物を貯蔵する場合や、貯蔵容器自体の設置スペース，内容積を考慮した場合、貯蔵容器を直方体の箱状にすることが望ましい。このような平面を有する貯蔵容器の場合、応力集中による破壊や変形量増大による問題が生じやすく、これを抑制するための補強手段が重要となる。
【０００５】
一方、省資源化，低コスト化の観点から、単に材料の使用量を増やすことによる補強は好ましくない。
【０００６】
特許文献１には、容器の四角形状平面の辺に対して平行な単純直交格子リブが全面に設けられた構成が記載されている。
【先行技術文献】
【特許文献】
【０００７】
【特許文献１】特開２００４−９１６５４号公報
【発明の概要】
【発明が解決しようとする課題】
【０００８】
特許文献１に記載の構成は、容器の四角形状平面の三面が角部の近傍において交わり、互いに補強し合っているため、面の中央部に比べて強度は高い。この四角形状平面に面圧が加えられた場合、面の中央部の変位が大きくなる。
【０００９】
しかしながら、平面全体に直交格子状のリブを設け格子間隔を変えることで強度を調整した場合、前述した四角形状平面の角部のように補強の必要性が低い部分にも必要以上にリブを設けることになる、という課題がある。
【００１０】
また、単純に角部近傍の格子を除去すると格子の終端部に応力集中が生じて破壊要因となる可能性があるため、結局は平面の端部までリブを設けざるを得ない、という課題がある。
【００１１】
すなわち、リブの形状が最適化できていないために、材料使用量が増加する、という課題がある。
【００１２】
本発明は上記課題に鑑み、材料使用量を抑制し、かつ強度を維持できる減圧貯蔵容器及びこれを備えた冷蔵庫を得ることを目的とする。
【課題を解決するための手段】
【００１３】
上記課題を解決するために、本発明の減圧貯蔵容器は、直方体形状の減圧貯蔵容器を形成する四角形状平面の各辺の中央より同士を結ぶようにリブを設け、前記リブで囲まれた領域の中央よりに複数の格子状リブを設け、前記四角形状平面の隅部であって、かつ前記リブで囲まれた領域の外側にリブを設けないことを特徴とする。
【００１４】
また、直方体形状の減圧貯蔵容器を形成する四角形状平面の接する辺の中央より同士を結ぶようにリブを設け、前記四角形状平面の隅部であって、かつ前記リブで囲まれた領域の外側にリブを設けないことを特徴とする。
【００１５】
また、前記リブで囲まれた領域の中央よりに複数の格子状リブを設けたことを特徴とする。
【００１６】
また、直方体形状の減圧貯蔵容器を形成する四角形状平面の接する辺の中央よりを結ぶように設けられたリブと、前記辺上に設けられて前記リブ同士を夫々連結する連結手段と、を備え、前記四角形状平面の隅部であって、かつ前記リブで囲まれた領域の外側にリブを設けないことを特徴とする。
【００１７】
また、本発明の冷蔵庫は、直方体形状の減圧貯蔵容器を形成する四角形状平面の各辺の中央より同士を結ぶようにリブを設け、前記リブで囲まれた領域の中央よりに複数の格子状リブを設け、前記四角形状平面の隅部であって、かつ前記リブで囲まれた領域の外側にリブを設けないことを特徴とする減圧貯蔵容器を備える。
【発明の効果】
【００１８】
本発明によれば、材料使用量を抑制し、かつ強度を維持できる減圧貯蔵容器及びこれを備えた冷蔵庫を得ることができる。
【発明を実施するための形態】
【００１９】
以下、実施例について、図面を参照して説明する。
【実施例１】
【００２０】
図１は、本発明の第一の実施形態を示す減圧貯蔵容器の斜視図である。本実施例は、内部を真空引きして内容物を低圧，低酸素状態で密閉保存することを用途とした減圧貯蔵容器の例である。
【００２１】
直方体形状の容器本体１の開口２には、実際の使用時において、図示しない扉体で密閉して内部の低圧状態を保つ構造である。容器本体１の天面１ａ及び底面１ｂの二つの四角形状平面は、他の面に対して面積が広い。すると、面の中央部において大気圧による凹み（変形量）が大きくなり、割れの原因にもなるため、特に補強が必要となる。
【００２２】
そこで、四角形状平面（図１においては天面１ａ）の隣接する辺の中央より同士を結んだ外周リブ３を設ける。また、四角形状平面の中央には、４つの四角形状からなる格子状リブ４を設ける。また、外周リブ３の頂点、すなわち四角形状平面の各辺の中央よりと格子状リブ４を四角形の縦方向および横方向に結ぶ連結リブ５を設けた構造を有する。
【００２３】
外周リブ３，格子状リブ４及び連結リブ５を備え、外周リブ３より外側の領域、かつ四角形状平面の角部であり、隣接する面と外周リブ３によって三角形状構造を形成する。当該三角形状構造によって強度を高めることができるため、外周リブ３で囲まれた領域外の部分にはリブ等の補強手段の追加は不要である。
【００２４】
格子状リブ４の役割は、変形が大きくなり易い天面１ａの中央部を補強することである。連結リブ５は、天面１ａの縦および横全幅に渡されているため、面全体の反りを防止することができる。
【００２５】
また、容器本体１の底面１ｂにも同形状のリブを設け、同等の補強効果を得る構成としている。
【００２６】
図２は、本実施例と同形状の容器本体１に一般的である単純直交格子リブ６を、同圧力条件下において応力および変形量の最大値が図１の実施例と同等となるように構成した場合の斜視図である。圧力容器の全体質量を比較した場合、単純直交格子リブ６を設けたものに対して、本実施例は約９０％に抑えられており、軽量化による省資源，低コスト化が可能となっている。
【実施例２】
【００２７】
図３は本発明の第二の実施形態を示す減圧貯蔵容器の底面側の斜視図である。本実施例の貯蔵容器は、冷蔵庫の野菜室など引出し式の貯蔵室に用いる。減圧貯蔵容器の底面７は、引出し時に摩擦を生じないよう接地させずに浮かせた状態でレールにより支持する形態をとる。そのため、貯蔵物による負荷を底面７が受ける構造である。底面７には、上述の実施例１と同様に外周リブ３，格子状リブ４及び連結リブ５を設けている。これにより、底面７において破壊が生じないことは当然ながら、変形量が大きくなって底面７と容器外部構造とが接触しないよう、強度を持たせることができる。また、単純直交格子リブ６を設ける場合より少ない材料で可能とした構造である。
【実施例３】
【００２８】
図４は、本発明に該当するその他のリブ形状の例を示しており、（Ａ）は、連結リブ５を二重として強化した例である。（Ｂ）は、外周リブを四角形の辺の中点から辺長さの１０％ずれた点同士を結ぶ線上に形成し、さらに同じ辺上にあるリブ端点同士を結ぶ連結手段たるリブを設けた例である。（Ｃ）は、前記２例を合わせた例である。
【００２９】
容器形状や付属物などにより最適なリブ構造は異なるため、本実施の形態におけるリブの形状は前記の例に限るものでない。すなわち、四角形平面の角部に三角形状を形成する外周リブを設け、三角形平面部にはリブを設けず、平面中央部の変形防止のための格子状リブ、および四角形平面の辺上の点と前記格子状リブ間を結び四角形平面の縦横２方向に補強する連結リブよりなる補強リブ構造を有する全ての貯蔵容器に該当する。
【００３０】
以上のとおり、直方体貯蔵容器の面圧が加わる四角形平面に設ける補強リブの形状を最適化することで、応力および変形量が全ての部位において許容値以下となるため、必要最小限の構造とすることで達成される。
【図面の簡単な説明】
【００３１】
【図１】本発明の実施例１における減圧貯蔵容器の斜視図。
【図２】本発明の実施例１における減圧貯蔵容器の補強リブを単純直交格子リブに置換した斜視図。
【図３】本発明の実施例２における減圧貯蔵容器の底面側の斜視図。
【図４】本発明の実施例３におけるリブ形状の例。
【符号の説明】
【００３２】
１  容器本体
１ａ  天面
１ｂ，７  底面
２  開口
３  外周リブ
４  格子状リブ
５  連結リブ
６  単純直交格子リブ
【図１】
2010243015.tif 000003
【図２】
2010243015.tif 000004
【図３】
2010243015.tif 000005
【図４】
2010243015.tif 000006